(57)【要約】【課題】  マスコットのような立体動物から、リアルな立体動物まで、誰もが容易に制作できる、多様なポーズがとれて、足の先端まで細かい造形が可能な、羊毛フェルトの立体動物の骨格の構造と、目の形状と目周りの描写を可能にする目の貼付方法を提供する。【解決手段】  羊毛フェルトの立体動物の骨格の構造は、下記の構成を備えることを特徴とする。頭と胴体、前足、後足、しっぽの合計４本のワイヤーを骨格とし、前足と後足の各ワイヤーをコの字型に曲げ、各ワイヤーの一辺を結合させねじり、さらに、頭と胴体、しっぽの各ワイヤーを結合させ、丸めた全ワイヤーの先端にモールをひっかけワイヤー全体に巻きつける。  ボタン型のプラスチック製目の部品の穴に、少量の細く撚った羊毛フェルトを通し、立体動物の目の位置に置き、糊代のような役割をはたす毛先を広げた羊毛フェルトに、専用の作業針（フェルティングニードル）で刺し貼付する。【選択図】図５
2015164499.tif 000002
【特許請求の範囲】
【請求項１】
以下の要件を備えることを特徴とする羊毛フェルトの立体動物の骨格の構造。
（イ）頭と胴体部分の１本、前足部分１本と後足部分１本の計２本、しっぽ部分１本の合計４本のワイヤーを骨格とする。
（ロ）前足部分１本と後足部分１本をそれぞれコの字型に曲げ、コの字型にしたワイヤー２本を結合してねじり、２本の結合したコの字型のワイヤーに、頭と胴体部分１本としっぽ部分１本のワイヤーを結合させる。
（ハ）それぞれのワイヤーの先端を丸め、モールをワイヤーの先端の丸めた部分にひっかけ、ワイヤー全体にモールを巻きつける立体動物の骨格の形状。
【請求項２】
請求項１の骨格の構造を有する羊毛フェルトの立体動物における、ボタン型のプラスチック製目の部品の穴に、少量の細く撚った羊毛フェルトを通し、穴に通した羊毛フェルトの両端の毛先を広げ、目の位置に置き、専用の作業針（フェルティングニードル）で刺し固定させる、羊毛フェルトの立体動物の目の貼付方法。
【発明の詳細な説明】
【技術分野】
【０００１】  本発明は、羊毛フェルトの立体動物における骨格となるワイヤーの構造と、目の部品の  貼付方法に関する。
【背景技術】
【０００２】  手芸、工芸分野においては、フェルト素材で動物や植物、人形その他の立体の造形物を制作するフェルト手芸、工芸が愛好されている。フェルト手芸、工芸には、フェルト生地を縫い合わせて詰め物をする縫いぐるみのほか、羊毛フェルトを特殊な針で高密度に刺し固めて、羊毛フェルトを縮絨し造形するものがある。【０００３】  特許文献１には、成形された発砲合成樹脂を芯材とし、該芯材にフェルト生地で作成した部材や羊毛フェルトの渦巻状小塊片を接着剤で被着させることで制作する動物マスコットおもちゃの考案が開示されている。しかし、当該考案は、成形された芯材に羊毛フェルトの渦巻状小塊片を貼り付けたもので容易に作品を制作できるものの、自由なポーズや細かい表情のある立体動物の造形には適切なものではなかった。【０００４】  羊毛フェルトの立体動物の造形において、骨格にワイヤーを用いることはあるが、立体動物の体型バランスの種類を分析かつ分類し、分類ごとに適合させて、ワイヤーの構造の統一化はされていない。【０００５】  骨格にワイヤーを用いた羊毛フェルトの立体動物の制作における、ワイヤーの周囲を羊毛フェルトで巻き付ける工程において、ワイヤーと羊毛フェルトの密着が難しく、羊毛フェルトが安定せずに動くことがあった。また、ワイヤーの周囲を巻き付けた羊毛フェルトから、ワイヤーが突き出ることが多く見受けられた。【０００６】  特許文献２には、板状の熱硬化性樹脂の発砲スポンジを芯材とし、該芯材の表面に羊毛フェルト繊維の小塊片を巻き付けつつ専用の作業針（フェルティングニードル）にて、芯材内部に貫入させてフェルト状に被着することを特徴とするフェルト人形の制作方法の考案が開示されている。しかし、該考案は、固定された芯材のため自由なポーズが可能な立体動物には適切なものではなかった。【０００７】  立体動物の目の部品を顔に貼付する方法として、従来は接着剤が使用されているが、目の部品からはみ出した接着剤により、目周りの羊毛フェルトを固め、専用の作業針（フェルティングニードル）が刺さらないため、目周りの描写が出来ず、顔の造形と表現が制約されるものであった。
【先行技術文献】
【特許文献】
【０００８】
【特許文献１】実用新案登録第３０９０７７８号公報
【特許文献２】特開２０１２−２４９７４１号広報
【発明が解決しようとする課題】
【０００９】  本発明は、前記問題点を解消し、羊毛フェルトの立体動物の、骨格となるワイヤーの構造と長さを統一化することで、初心者でも多様なポーズがとれる羊毛フェルトの立体動物の制作を可能にし、さらにワイヤーの先を丸めてモールを巻くことで、安全かつ難儀な足先の表現を容易にすることを課題とする。また、ワイヤーに巻き付けた羊毛フェルトが巻き戻らないことで、細く丈夫な足の制作をも可能にすることを課題とする。また、目の貼付方法により、目周りの描写が可能となる。
【課題を解決するための手段】
【００１０】  前記課題を解決するために、請求項１の発明では、羊毛フェルトの立体動物の骨格の構造は、下記の構成を備えることを特徴とする。
（イ）頭と胴体部分の１本、前足部分１本と後足部分１本の計２本、しっぽ部分１本の合計４本のワイヤーを骨格とする。
（ロ）前足部分１本と後足部分１本をそれぞれコの字型に曲げ、コの字型にしたワイヤー２本を結合してねじり、２本の結合したコの字型のワイヤーに、頭と胴体部分１本としっぽ部分１本のワイヤーを結合させる。
（ハ）それぞれのワイヤーの先端を丸め、モールをワイヤーの先端の丸めた部分にひっかけ、ワイヤー全体にモールを巻きつける立体動物の骨格の形状。
また、請求項２の発明では、請求項１の骨格の構造を有する羊毛フェルトの立体動物における、ボタン型のプラスチック製目の部品の穴に、少量の細く撚った羊毛フェルトを通し、穴に通した羊毛フェルトの両端の毛先を広げ、立体動物の目の位置に置き、糊代のような役割をはたす毛先を広げた羊毛フェルトに、専用の作業針（フェルティングニードル）で刺す、羊毛フェルトの立体動物の目の貼付方法である。
【発明の効果】
【００１１】  請求項１の発明によれば、頭と胴体部分、前足部分、後足部分、しっぽ部分の計４本のワイヤーを骨格とし、前足部分と後足部分の各１本をそれぞれコの字型に曲げ、コの字型に頭と胴体部分、しっぽ部分を結合させ、それぞれのワイヤーの先端を丸め、丸めた部分にモールをひっかけて、ワイヤー全体に巻き付けることにより、マスコットのような立体動物から、体型の比率、ボリュームを考慮したリアルな立体動物まで、誰もが容易に、多様なポーズがつけられる羊毛フェルトの立体動物の制作が可能になり、ワイヤーと羊毛フェルトが密着し、羊毛フェルトが巻き戻らないため、細くて丈夫な足の制作、また、羊毛フェルトからワイヤーが突き抜けて表面に出てこずに、足の先端まで細かい造形が、可能になる。
【００１２】  請求項２の発明によれば、ボタン型のプラスチック製の目の部品の穴に羊毛フェルトを通し、専用の作業針（フェルティングニードル）で顔に刺し固定することで、丸い目、切れ長の目、アーモンド形の目など、目の形状と目周りの描写が出来て、リアルな表情の造形が可能になる。
【発明を実施するための形態】
【００１３】  請求項１に係る実施の形態は図１、２、３、４、５において示す。図１は、骨格となる、頭と胴体部分Ａの１本、前足部分Ｂ、後足部分Ｃ、しっぽ部分Ｄの計４本を示す。図２は、前足部分Ｂ、後足部分Ｃをそれぞれコの字型に曲げに、２本の（Ｅ）辺と（Ｆ）辺をねじった状態の平面図である。図３は、結合したＢとＣに、頭と胴体部分Ａとしっぽ部分Ｄを結合させた状態の平面図である。図４は、結合した４本のワイヤーの各先端を丸めた状態の平面図、そして、先端の拡大図である。図５は、ワイヤーの先端を丸めた穴に、４本のモールＧ、Ｈ、Ｉ、Ｊを引っ掛けて、ワイヤー全体に巻きつけた状態の平面図、そして、モールが巻き付けられているワイヤーの先端に、モールがワイヤーの先端よりも出ている状態の拡大図である。
【００１４】  請求項２に係る実施の形態は、図６、７、８において示す。図６は、プラスチック製の目の部品Ｋの断面図と、該部品の穴に通る少量の撚った羊毛フェルトＬの平面図である。図７は、プラスチック製の目の部品Ｋの穴に、少量の撚った羊毛フェルトＬを通し、羊毛フェルトＬの毛先を広げた状態の説明図である。図８は、プラスチック製の目の部品Ｋを顔の目の位置に置き、毛先を広げた羊毛フェルトＬが糊代のような役割をはたし、作業針（フェルティングニードル）で刺し固定している説明図である。
【図面の簡単な説明】
【００１５】
【図１】骨格となる全ワイヤー４本の平面図
【図２】前足と後足用のワイヤーを曲げて結合させた平面図
【図３】結合させた前足と後足用のワイヤーに、頭と胴体用のワイヤーとしっぽ用のワイヤーを結合させた平面図
【図４】結合させた４本のワイヤーの先端を丸めた平面図と拡大図
【図５】全モール４本と結合させた４本のワイヤーに全モール４本を巻き付けた状態の説明図と、モールがワイヤーの先より出ている状態の平面図
【図６】プラスチック製の目の部品の断面図と、該部品の穴に通る少量の撚った羊毛フェルトの平面図
【図７】プラスチック製の目の部品の穴に羊毛フェルトを通した説明図
【図８】顔の位置にプラスチック製の目の部品を置き、作業用針（フェルティングニードル）で刺している説明図
【符号の説明】
【００１６】Ａ  頭と胴体部分のワイヤー
Ｂ  前足部分のワイヤー
Ｃ  後足部分のワイヤー
Ｄ  しっぽ部分のワイヤー
（Ｅ）前足部分のワイヤーの結合箇所
（Ｆ）後足部分のワイヤーの結合箇所
Ｇ  モール
Ｈ  モール
Ｉ  モール
Ｊ  モール
Ｋ  プラスチック製の目の部品
Ｌ  少量の細く撚られた羊毛フェルト
Ｍ  作業針（フェルティングニードル）
【図１】
2015164499.tif 000003
【図２】
2015164499.tif 000004
【図３】
2015164499.tif 000005
【図４】
2015164499.tif 000006
【図５】
2015164499.tif 000007
【図６】
2015164499.tif 000008
【図７】
2015164499.tif 000009
【図８】
2015164499.tif 000010